【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
制御システム（１２）のための制御動作を提供するように構成されるコントローラ（６４）を含む前記制御システム（１２）からデータを収集するように構成されるデータ収集システム（５４）と、
前記データに基づいて、前記制御システム（１２）のハードウェア構成およびソフトウェア構成を管理するように構成される構成管理システム（５６）と、
入力として前記データを用い、ルールデータベースを用いて健全性評価（２４）を出力するように構成されるルールエンジン（５８）と、
前記制御システム（１２）の健全性評価（２４）を提供するように構成されるリポート生成器であって、
前記健全性評価（２４）は、第１および第２の準備性の評価基準を含み、
第１の準備性の評価基準は、制御システム（１２）の動作を提供するための前記制御システム（１２）の準備性を示す第１の百分率準備性を含み、
第２の準備性の評価基準は、コントローラ（６４）の動作に対して提供するための前記コントローラ（６４）の準備性を示す第２の百分率準備性を含む、
リポート生成器と、
を実行するように構成されたプロセッサを含む、システム。
【請求項２】
前記コントローラ（６４）は、Ｒコア、Ｓコア、およびＴコアを有する三重モジュール冗長コントローラ（ＴＭＲ）を含み、
前記ＴＭＲコントローラ（６４）は、前記制御システム（１２）のための冗長な制御動作を提供するように構成され、
前記第２の準備性の評価基準は、Ｒコアの百分率準備性、Sコアの百分率準備性、およびＴコアの百分率準備性を含む、
請求項１に記載のシステム。
【請求項３】
前記データは、前記コントローラ（６４）に記憶されるように構成される構成ファイル（６５）を含み、前記構成ファイル（６５）は、制御コード、コントローラパラメータ、またはこれらの組み合わせを含む、請求項１に記載のシステム。
【請求項４】
前記制御コードは、ラダーロジック、シーケンシャル・ファンクション・チャート（ＳＦＣ）、機能ブロック、またはこれらの組み合わせを含む、請求項３に記載のシステム。
【請求項５】
前記データ収集システム（５４）は、前記データのオフラインでの収集を提供するように構成される、請求項１に記載のシステム。
【請求項６】
前記データ収集システム（５４）は、前記データのオンラインでの収集を提供するように構成され、前記データは、前記制御システム（１２）のための制御動作を提供するように構成されるコントローラ（６４）によって用いられ、または生成されるデータを含む、請求項１に記載のシステム。
【請求項７】
前記ルールデータベースは、複数の健全性評価「ｉｆ・・・ｔｈｅｎ」ルールを含み、前記ルールエンジン（５８）は、前記健全性評価（２４）を出力するために、前記複数の健全性評価「ｉｆ・・・ｔｈｅｎ」ルールを用いるように構成される、請求項１に記載のシステム。
【請求項８】
知識ベース（２０）を更新するために、前記健全性評価（２４）を用いるように構成されるオンライン・ライフサイクル支援ツール（２２）を含み、前記知識ベース（２０）は、前記制御システム（１２）の前記健全性に関する顧客の質問に対する複数の回答を含む、請求項１に記載のシステム。
【請求項９】
前記健全性評価（２４）は、ＴＭＲ準備性リポート（１２０）、コントローラ推奨（１２２）、構成リポート（１２４）、早期警報リポート（１２６）、アクセスに基づくリポート（１２８）、またはこれらの組み合わせを含む、請求項１に記載のシステム。
【請求項１０】
前記制御システム（１２）を有する発電システムを含む、請求項１に記載のシステム。
【請求項１１】
制御システム（１２）のための制御動作を提供するように構成されるコントローラ（６４）を含む前記制御システム（１２）に関係するデータを取得するステップ（１３２）と、
健全性評価ルールを用いることにより、データ解析を取得するために前記データを解析するステップ（１３４）と、
前記データ解析に基づいて制御システム健全性評価（２４）を導出するステップ（１３６）と、
前記制御システム健全性評価（２４）を提供するステップ（１３８）と、
を含み、
前記制御システム健全性評価（２４）は、前記制御システム（１２）のエンジニアリング機会（３２）を導出するように構成され、
前記健全性評価（２４）は、第１および第２の準備性の評価基準を含み、
第１の準備性の評価基準は、制御システム（１２）の動作を提供するための前記制御システム（１２）の準備性を示す第１の百分率準備性を含み、
第２の準備性の評価基準は、コントローラ（６４）の動作に対して提供するための前記コントローラ（６４）の準備性を示す第２の百分率準備性を含む、
方法。
【請求項１２】
前記健全性評価（２４）は、三重モジュール冗長（ＴＭＲ）準備性リポート（１２０）、コントローラ推奨（１２２）、自動構成リポート（１２４）、早期警報リポート（１２６）、アクセスに基づくリポート（１２８）、またはこれらの組み合わせを含む、請求項１１に記載の方法。
【請求項１３】
前記データを取得するステップ（１３２）は、前記制御システム（１２）の前記データをオフラインで取得するステップ、前記制御システム（１２）の前記データをオンラインで取得するステップ、またはこれらのステップの組み合わせを含む、請求項１１に記載の方法。
【請求項１４】
前記エンジニアリング機会（３２）は、前記制御システム（１２）のハードウェア構成要素またはソフトウェア構成要素を除去し、更新し、または交換することを含む、請求項１１に記載の方法。
【請求項１５】
非一時的機械可読媒体を含み、前記非一時的機械可読媒体は、
制御システム（１２）のための制御動作を提供するように構成されるコントローラ（６４）を含む前記制御システム（１２）に関係するデータを取得し、
データ解析を取得するために前記データを解析し、
前記データ解析に基づいて制御システム健全性評価（２４）を導出し、
前記制御システム健全性評価（２４）に基づいて前記制御システム（１２）のエンジニアリング機会（３２）を導出する、
ように構成されるコードを含み、
前記健全性評価（２４）は、第１および第２の準備性の評価基準を含み、
第１の準備性の評価基準は、制御システム（１２）の動作を提供するための前記制御システム（１２）の準備性を示す第１の百分率準備性を含み、
第２の準備性の評価基準は、コントローラ（６４）の動作に対して提供するための前記コントローラ（６４）の準備性を示す第２の百分率準備性を含む、
システム。
【請求項１６】
前記データを解析するように構成されるコードを含む前記非一時的機械可読媒体は、前記データを解析するためにコントローラ健全性評価ルールデータベースを用いるように構成されるコードを含む、請求項１５に記載のシステム。
【請求項１７】
前記非一時的機械可読媒体は、前記制御システム（１２）の健全性に関する顧客の質問に対する複数の回答を提供するために知識ベースデータベースを用いるように構成されるコードを含む、請求項１５に記載のシステム。
【請求項１８】
前記制御システム健全性評価（２４）を導出するように構成されるコードを含む前記非一時的機械可読媒体は、三重モジュール冗長（ＴＭＲ）準備性リポート（１２０）、コントローラ推奨（１２２）、自動構成リポート（１２４）、早期警報リポート（１２６）、アクセスに基づくリポート（１２８）、またはこれらの組み合わせを導出するように構成されるコードを含む、請求項１５に記載のシステム。
【請求項１９】
前記コードを記憶する前記非一時的機械可読媒体を有する工業用システムを含み、
前記工業用システムは、ガス化システム、タービンシステム（６８）、ガス処理システム、発電システム、またはこれらの組み合わせを含む、請求項１５に記載のシステム。